(57)【要約】  【課題】枠内に収納されたリモコンを取り外し易くする。  【解決手段】操作信号受信用の受信部を有し、壁に埋設された状態で受信部で受信された操作信号などに応じて動作する配線器具本体１と、この配線器具本体１の前面側に設けられる矩形枠状のプレートと、操作部およびこの操作部に対する操作に応じて操作信号をワイヤレスで送信する送信部を有し、配線器具本体１の前面側に設けられたプレートの枠内におけるハンドル４の前面に着脱自在に収納されるリモコン５とにより、ワイヤレススイッチを構成した。そして、リモコン５を、プレートの矩形枠内におけるハンドル４のハンドル本体４０の他端部４０１に収まる矩形平板状に形成し、少なくとも右側面部５０ｅの一部がプレートの枠内よりも前方に露出するようにその枠内に収納し、その前方に露出する右側面部５０ｅの一部に、上下方向に伸びる取外し用リブ５０ｐを形成した。【選択図】図１
2005038796.tif 000002
【特許請求の範囲】
【請求項１】
操作信号受信用の受信部を有し、壁に埋設された状態で前記受信部で受信された操作信号に応じて動作する配線器具本体と、この配線器具本体の前面側に設けられる矩形枠状のプレートと、操作部およびこの操作部に対する操作に応じて前記操作信号をワイヤレスで送信する送信部を有し、前記配線器具本体の前面側に設けられた前記プレートの枠内に着脱自在に収納されるリモコンとにより構成されるワイヤレススイッチであって、
前記リモコンは、前記プレートの矩形枠内に収まる矩形平板状に形成され、少なくとも側面の一部が前記プレートの枠内よりも前方に露出するように収納され、その前方に露出する側面の一部に取外し用リブを有していることを特徴とするワイヤレススイッチ。
【請求項２】
前記プレートの矩形枠内に収まる矩形平板状で、長手方向に沿う一端部がその他端部よりも前面側に突出した段差構造を持つ形状に形成され、前記配線器具本体の前面側に設けられた前記プレートの枠内に設けられて、前記段差構造の低い方の前記他端部に前記リモコンが着脱自在に装着されるハンドルをさらに備え、
前記配線器具本体は、前記リモコンの操作部に対応するものであって前記ハンドルを介して押操作される操作スイッチをさらに有し、その操作スイッチに対する操作または前記受信部で受信された操作信号に応じて動作するように構成され、
前記ハンドルの段差構造の段差面およびこの段差面と対面する前記リモコンの側面の双方の長手方向における各端部に、互いに嵌合する位置決め用の凹凸部が設けられていることを特徴とする請求項１記載のワイヤレススイッチ。
【請求項３】
前記ハンドルおよび前記リモコンの各々における押操作される箇所に、この箇所が押操作するべき部分であることを示す突起が設けられ、前記ハンドルの突起と嵌合する凹部が前記ハンドルと対向する前記リモコンの面に設けられていることを特徴とする請求項２記載のワイヤレススイッチ。
【請求項４】
前記配線器具本体および前記リモコンの各々はチャンネル切替スイッチをさらに備え、
前記リモコンのチャンネル切替スイッチは、前記リモコンの一の側面に、この側面から操作部がはみ出さないように設けられたスライドスイッチであり、
前記リモコンの一の側面における前記操作部の操作方向の両側に、一対の段落ち凹所がそれぞれ設けられていることを特徴とする請求項１から３のいずれかに記載のワイヤレススイッチ。
【発明の詳細な説明】
【技術分野】
【０００１】
本発明は、壁に埋設されて使用される配線器具本体と、この前面に装着されるリモコンとにより構成されるワイヤレススイッチに関するものである。
【背景技術】
【０００２】
従来、壁に埋設され、商用電源とともに照明器具などの負荷が接続される配線器具は、この操作スイッチを操作することにより、動作する（負荷が照明器具の場合はこれを例えば点灯ないし消灯させる）ようになっている。
【０００３】
また、照明器具などの負荷には、遠隔操作用として赤外線式のリモコンおよびこの保管用としての壁掛け式ホルダーが同梱されるものも存在し、壁掛け式ホルダーは、ねじや接着などで壁に固定されて使用され、リモコンを保持するようになっている。
【０００４】
しかし、上記壁掛け式ホルダーでは、配線器具等とのデザインの統一性に一定の限界があり、また壁への固定が手間となる問題があったので、このような問題を解決するための配線器具（ワイヤレススイッチ）が本出願人により別途提案されている（特願２００２−３３４１７４号）。
【０００５】
図１０は上記ワイヤレススイッチを配線器具本体側からリモコンを離して見た斜視図である。図１０に示すワイヤレススイッチは、操作信号受信用の受信部を有し、壁に埋設された状態で受信部で受信された操作信号などに応じて動作する配線器具本体１と、この配線器具本体１の前面に設けられるプレート用継枠３１および化粧プレート３２からなる枠状のプレート３と、このプレート３の枠内に設けられるハンドル４と、操作部およびこの操作部に対する操作に応じて操作信号をワイヤレスで送信する送信部を有し、ハンドル４の前面の凹所に着脱自在に収納されるリモコン５とにより構成され、配線器具本体１の前面に設けられたプレート３の枠内にハンドル４を介してリモコン５を着脱自在に収納することにより、リモコン５保管用としての壁掛け式ホルダーを別途設ける必要がなく、リモコン５と配線器具本体１等とのデザインを統一することができるようになっている。
【０００６】
図１１に上記ワイヤレススイッチの回路図を示す。ただし、図１１（ａ）は配線器具本体の回路図を示し、図１１（ｂ）はリモコンの回路図を示す。
【０００７】
図１１（ａ）に示す配線器具本体は、リモコンの操作部に対応し押操作される押し釦式の操作スイッチをさらに有し、その操作スイッチに対する操作または上記受信部で受信された操作信号に応じて動作するようになっている。
【０００８】
具体的には、受信回路部１１０と、操作回路部１２０と、表示回路部１３０と、端子部１４０と、フィルタ回路部１５０と、負荷制御回路部１６０と、電源回路部１７０と、制御回路部１８０とを備える受信器１００が、配線器具本体内に収納されている。
【０００９】
受信回路部１１０は、受信部を構成するリモコン受光素子１１１などによりなり、リモコンからの操作信号などの信号を赤外線で受信するものである。
【００１０】
操作回路部１２０は、操作スイッチの押操作に応じてオンオフするスイッチＳＷ１２１などにより構成され、端子部１４０に接続される負荷駆動用の操作入力を得るためのものである。なお、図中のスイッチＳＷ１２２は、チャンネル切替スイッチであり、配線器具本体とリモコンとを対応付け（組分け）するためのものである。
【００１１】
表示回路部１３０は、表示灯を構成するＬＥＤ１３１などによりなり、受信回路部１１０で信号を受信していることをＬＥＤ１３１の点灯（または点滅など）によって示すものである。
【００１２】
端子部１４０は、例えば速結端子などの端子１４１〜１４４により構成され、図外の負荷と商用電源とが接続されるものである。例えば、端子１４１，１４２間に商用電源が接続され、端子１４３，１４４間に照明器具などの負荷が接続される。
【００１３】
フィルタ回路部１５０は、サージアブソーバ１５１およびコンデンサ１５２などにより構成され、ノイズフィルタとして機能するものである。
【００１４】
負荷制御回路部１６０は、スイッチ（図ではトランジスタ）Ｑ１６１，Ｑ１６２およびスイッチ（図ではトライアック）Ｑ１６３などにより構成され、制御回路部１８０からの制御信号に従ってスイッチＱ１６１，Ｑ１６２を通してスイッチＱ１６３をオフ／オンすることにより、それぞれ端子部１４０の端子１４２，１４４間を開／閉するものである。
【００１５】
電源回路部１７０は、端子部１４０の端子１４１，１４２間に接続される（全波）整流器ＤＢ１７１と、この出力に接続され、ツェナーダイオードＤ１７１，Ｄ１７２、スイッチ素子（図ではトランジスタ）Ｑ１７１およびコンデンサＣ１７１，Ｃ１７２などにより構成されるレギュレータとにより構成され、受信器１００の各部に電力を供給するためのものである。
【００１６】
制御回路部１８０は、マイコン（マイクロコンピュータ）１８１などにより構成され、電源回路部１７０から直流電力の供給を受けて動作し、受信器１００全般の制御などの処理を実行するものである。例えば、スイッチＳＷ１２１の（瞬時）オンオフに応じて、スイッチＱ１６１，Ｑ１６２を通じて、スイッチＱ１６３をオフまたはオンにすることにより、それぞれ端子１４２，１４４間を開または閉にする制御が実行される。また、受信回路部１１０で信号が受信されている間、ＬＥＤ１３１を点灯（あるいは点滅など）する制御が実行される。さらに、受信回路部１１０で、スイッチＳＷ１２１のオンオフに対応する操作信号が受信されれば、スイッチＱ１６１，Ｑ１６２を通じて、スイッチＱ１６３をオフまたはオンにすることにより、それぞれ端子１４２，１４４間を開または閉にする制御が実行される。この制御は、例えば、リモコンからの操作信号がスイッチＳＷ１２２で切替設定されているチャンネルに対応する場合に実行され、そうでない場合は実行されない。
【００１７】
一方、図１１（ｂ）に示すリモコンには、送信回路部５１０と、操作回路部５２０と、電源回路部５３０と、制御回路部５４０とを備える送信器５００が収納されている。
【００１８】
送信回路部５１０は、スイッチ（図ではトランジスタ）Ｑ５１１およびＬＥＤ５１１などにより構成され、制御回路部５４０からの制御信号に従ってスイッチＱ５１１を通してＬＥＤ５１１を駆動（点滅）することにより、操作信号などの信号を赤外線で送信するものである。
【００１９】
操作回路部５２０は、操作部の押操作に応じてオンオフするスイッチＳＷ５２１などにより構成され、上記配線器具本体の操作スイッチに対応する操作入力を得るためのものである。なお、図中のスイッチＳＷ５２２はアドレス設定用であり、チャンネル切替スイッチとして機能するものである。
【００２０】
電源回路部５３０は、電池（例えば釦電池）５３１などにより構成され、送信器５００の各部に電力を供給するものである。
【００２１】
制御回路部５４０は、マイコン５４１などにより構成され、電源回路部５３０から直流電力の供給を受けて動作し、送信器５００全般の制御などの処理を実行するものである。例えば、スイッチＳＷ５２１の（瞬時）オンオフに応じて、スイッチＱ５１１を通じて、ＬＥＤ５１１を駆動することにより、操作信号を赤外線で送信する制御が実行される。その操作信号には、例えば、スイッチＳＷ１２２で切替設定されるチャンネルに対応し、スイッチＳＷ５２２で切替設定されるアドレスが含まれる。
【００２２】
これら回路構成による動作は以下の通りとなっている。リモコンが取り外された配線器具本体の操作スイッチを押操作すると、スイッチＳＷ１２１がオンオフして、スイッチＱ１６１，Ｑ１６２を通してスイッチＱ１６３がオフまたはオンになることにより、端子１４２，１４４間が開または閉になる。このとき、端子１４２，１４４間が閉になったとすれば、端子１４２−商用電源−端子１４１−端子１４３−負荷−端子１４４の経路が閉ループになるので、商用電源から負荷に交流電力が供給されることになる。一方、端子１４２，１４４間が開になったとすれば、上記経路が開放状態になるから、商用電源から負荷に交流電力が供給されなくなる。これにより、負荷を駆動することが可能となり、負荷が照明器具である場合には、その照明器具を例えば点灯ないし消灯することができる。
【００２３】
これに対し、配線器具本体側から取り外されたリモコンの操作部を押操作すると、スイッチＳＷ５２１がオンオフして、スイッチＱ５１１を通してＬＥＤ５１１が駆動することにより、操作信号が赤外線で送信される。そして、その操作信号が配線器具本体の受信回路部１１０のリモコン受光素子１１１で受信されると、スイッチＱ１６１，Ｑ１６２を通してスイッチＱ１６３がオフまたはオンになることにより、端子１４２，１４４間が開または閉になる。これにより、配線器具本体の操作スイッチに対する押操作と同様に、負荷を駆動することが可能となる。
【００２４】
なお、特許文献１には、外部よりワイヤレス信号にて送信された負荷を制御するための制御信号を受信する受信部と、手動操作され操作に応じた制御信号を出力する操作部と、受信部の受信した制御信号または操作部からの制御信号に応じてスイッチ切換信号を発生する制御部と、制御部のスイッチ切換信号に応じて負荷への電源供給を入／切するスイッチ部とを備える壁スイッチが記載されている。
【特許文献１】特開平１１−２５８２２号公報
【発明の開示】
【発明が解決しようとする課題】
【００２５】
しかしながら、上記ワイヤレススイッチでは、配線器具本体の前面に設けられるプレートの枠内や、そのプレートの枠内に設けられるハンドルの枠内（凹所）に、リモコンが収納されるので、枠内に収納されたリモコンを取外し難いという問題があった。
【００２６】
本発明は、上記事情に鑑みてなされたものであり、枠内に収納されたリモコンを取り外し易くできるワイヤレススイッチを提供することを目的とする。
【課題を解決するための手段】
【００２７】
請求項１記載の発明は、操作信号受信用の受信部を有し、壁に埋設された状態で前記受信部で受信された操作信号に応じて動作する配線器具本体と、この配線器具本体の前面側に設けられる矩形枠状のプレートと、操作部およびこの操作部に対する操作に応じて前記操作信号をワイヤレスで送信する送信部を有し、前記配線器具本体の前面側に設けられた前記プレートの枠内に着脱自在に収納されるリモコンとにより構成されるワイヤレススイッチであって、前記リモコンは、前記プレートの矩形枠内に収まる矩形平板状に形成され、少なくとも側面の一部が前記プレートの枠内よりも前方に露出するように収納され、その前方に露出する側面の一部に取外し用リブを有していることを特徴とする。この構成では、プレートの枠内に収納されているリモコンを取り外す場合、リモコンの側面に形成され、プレートの枠内よりも前方に露出する取外し用リブに指を掛けることにより、枠内に収納されているリモコンを容易に取り外すことができる。
【００２８】
請求項２記載の発明は、請求項１記載のワイヤレススイッチにおいて、前記プレートの矩形枠内に収まる矩形平板状で、長手方向に沿う一端部がその他端部よりも前面側に突出した段差構造を持つ形状に形成され、前記配線器具本体の前面側に設けられた前記プレートの枠内に設けられて、前記段差構造の低い方の前記他端部に前記リモコンが着脱自在に装着されるハンドルをさらに備え、前記配線器具本体は、前記リモコンの操作部に対応するものであって前記ハンドルを介して押操作される操作スイッチをさらに有し、その操作スイッチに対する操作または前記受信部で受信された操作信号に応じて動作するように構成され、前記ハンドルの段差構造の段差面およびこの段差面と対面する前記リモコンの側面の双方の長手方向における各端部に、互いに嵌合する位置決め用の凹凸部が設けられていることを特徴とする。この構成では、互いに嵌合する位置決め用の凹凸部により、ハンドルの他端部にリモコンをずれなく装着することができるとともに、装着状態のリモコンの操作時にその操作によってハンドルの装着状態がずれるのを防止することができる。
【００２９】
請求項３記載の発明は、請求項２記載のワイヤレススイッチにおいて、前記ハンドルおよび前記リモコンの各々における押操作される箇所に、この箇所が押操作するべき部分であることを示す突起が設けられ、前記ハンドルの突起と嵌合する凹部が前記ハンドルと対向する前記リモコンの面に設けられていることを特徴とする。この構成では、突起により押操作するべき部分を判別することができるほか、装着状態のリモコンの操作時にその操作によってハンドルの装着状態がずれるのをより好適に防止することができる。
【００３０】
請求項４記載の発明は、請求項１から３のいずれかに記載のワイヤレススイッチにおいて、前記配線器具本体および前記リモコンの各々はチャンネル切替スイッチをさらに備え、前記リモコンのチャンネル切替スイッチは、前記リモコンの一の側面に、この側面から操作部がはみ出さないように設けられたスライドスイッチであり、前記リモコンの一の側面における前記操作部の操作方向の両側に、一対の段落ち凹所がそれぞれ設けられていることを特徴とする。この構成では、操作部の操作方向の両側にそれぞれ設けられている一対の段落ち凹所に、指先を入れることができるので、リモコンの一の側面からはみ出さないように設けられたスライドスイッチの操作部を容易に操作することが可能となる。
【発明の効果】
【００３１】
本発明によれば、枠内に収納されたリモコンを取り外し易くできる。
【発明を実施するための最良の形態】
【００３２】
図１は本発明による一実施形態のワイヤレススイッチの分解斜視図、図２は同ワイヤレススイッチの斜視図、図３は同ワイヤレススイッチを配線器具本体側からリモコンを離して見た斜視図、図４は同ワイヤレススイッチの配線器具本体を取付枠に取り付けて見た斜視図、図５は同ワイヤレススイッチの配線器具本体の回路図、図６は同ワイヤレススイッチのハンドルの背面図である。
【００３３】
本実施形態のワイヤレススイッチは、図１〜図３に示すように、配線器具本体１と、取付枠２と、プレート用継枠３１および化粧プレート３２からなる枠状のプレート３と（図１０）、ハンドル４と、リモコン５とにより構成され、ＪＩＳ  Ｃ  ８３０４の屋内用小型スイッチ類に分類されるワイドハンドル形単用スイッチに準じる寸法に設定される。
【００３４】
上記配線器具本体１、取付枠２、プレート３、ハンドル４およびリモコン５のうち、取付枠２およびプレート３は従来と同様であるので、以下では配線器具本体１、ハンドル４およびリモコン５について説明する。
【００３５】
配線器具本体１は、壁に埋設されて使用されるものであり、ボディ１０およびカバー１１により構成されるハウジングを備えているとともに、図４に示すように、操作信号受信用の受信部１２と、例えば押し釦式の操作スイッチ１３と、表示灯１４と、スライド式のチャンネル切替スイッチＳＷ１２２の操作部１５とを上記ハウジングの前面に備え、図５に示すように、先述の図１１（ａ）とほぼ同様の受信器１００を直接ないしプリント基板１６に実装してハウジング内に収納している。
【００３６】
ただし、図５の受信器１００では、制御回路部１８０は、従来のほたるＬＥＤと同様の動作になるように、端子１４２，１４４間が開の場合にＬＥＤ１３１を点灯し、端子１４２，１４４間が閉の場合にＬＥＤ１３１を消灯する制御を実行するように構成される。また、負荷制御回路部１６０には、図１１（ａ）のスイッチＱ１６１，Ｑ１６２に代えて、フォトトライアックのスイッチＱ１６０が使用されている。
【００３７】
ボディ１０は、図１，図４に示すように、樹脂により一の方向（図１では上下方向）に伸びる矩形状の開口を前面に有する箱状に形成されている。ボディ１０の底部（後面ないし背面部）１０ａにおける下方の左右両側には、一組につき左右一対の電線挿入孔が二組穿設されている。上側に位置する左右一対の電線挿入孔は、例えば負荷からの一対の電線の導体線をハウジング内の端子１４３，１４４にそれぞれ案内し、下側に位置する左右一対の電線挿入孔は、例えば商用電源からの一対の電線の導体線をハウジング内の端子１４１，１４２にそれぞれ案内するようになっている。また、ボディ１０の上側面部１０ｂおよび下側面部１０ｃの各外面の開口側には、一対の取付用の凸部１０ｆ，１０ｆが離隔して突設されている。
【００３８】
カバー１１は、樹脂によりボディ１０の開口を閉塞する形状（図１では矩形状の開口を後面に有する箱状）に形成されている。
【００３９】
カバー１１の前面部１１ａにおける上部および下部の各々には、左端側を基端に右端側にかけて前方に切り起こされ右端でハンドル４を前方に押し上げるための成形ばね１１ｆが一体成形されている。また、前面部１１ａにおける中央部の左右両側には、表示灯１４用の窓部１１ｇおよび操作スイッチ１３用の窓部１１ｈがそれぞれ形成され、前面部１１ａにおけるそれら窓部１１ｇおよび窓部１１ｈの下方には、受信部１２用の窓部１１ｉおよび操作部１５用の窓部１１ｊがそれぞれ形成されている。さらに、前面部１１ａにおける中央部の左端には、一対の突起１１ｋ，１１ｋが上下に離隔して形成されている一方、前面部１１ａにおける中央部の右端には、一対の挿入孔１１ｍ，１１ｍが上下に離隔して穿設されている。
【００４０】
カバー１１の上側面部１１ｂおよび下側面部の各後方端面における両端には、一対の取付用の突片１１ｎ，１１ｎが後方に向けて一体に延設され、各突片１１ｎには、ボディ１０の対応する凸部１０ｆと嵌合する孔１１ｐが穿設されている。一方、カバー１１の左側面部および右側面部１１ｅの各中央には、取付枠２の左側部２３および右側部２４の各中央に穿設された一対の取付孔２ｑ，２ｑにそれぞれ嵌合する一対の突起１１ｑ，１１ｑが上下に離隔して形成されている。
【００４１】
上記構成の配線器具本体１は、例えば、ボディ１０内に受信器１００を直接ないしプリント基板１６に実装して収納（固定）し、カバー１１の開口側でボディ１０の開口を閉塞するようにして、カバー１１の各突片１１ｎの孔１１ｐにボディ１０の各凸部１０ｆを嵌合することにより、組み立てられる。
【００４２】
ハンドル４は、配線器具本体１の前面側に設けられたプレート３の枠内に設けられ、図１，図６に示すように、ハンドル本体４０と、受光カバー４１とを含んでいる。また、ハンドル４には、平角状の本体部４２０およびこの上下端にそれぞれ立設される一対の取付部４２１，４２１によりなる透光性のほたる表示片４２と、矩形状の磁石４３と、一対のばね片が後方に延設される前面矩形状の押さえばね４４とが具備されている。
【００４３】
ハンドル本体４０は、樹脂により、プレート３の矩形枠内に収まる矩形平板状で、長手方向に沿う一端（左端）部４００がその他端（右端）部４０１よりも狭い幅で前面側に突出した段差構造を持つ形状になっている。
【００４４】
ハンドル本体４０の一端部４００における左端側中央には、押さえばね４４の一対のばね片を前方から挿入するための挿入孔が穿設され、一端部４００の後面には、一対の凹所４００ａ，４００ａが、上記挿入孔と連通するように上下に並設され、カバー１１の一対の突起１１ｋ，１１ｋが填め込まれた場合にそれらを弾性保持するようになっている。また、一端部４００におけるカバー１１の表示灯１４の前方位置には、ほたる表示片４２の本体部４２０が嵌入される矩形孔４００ｂが穿設され、一端部４００の後面における矩形孔４００ｂの上下近傍には、一対の突起４００ｃ，４００ｃがそれぞれ形成されている。これら一対の突起４００ｃ，４００ｃは、ほたる表示片４２の一対の取付部４２１，４２１に穿設された挿入孔にそれぞれ挿通された状態で、熱溶着によりほたる表示片４２を一端部４００の後面に固定するためのものである。さらに、一端部４００におけるカバー１１の受信部１２の前方位置には、開口窓４００ｄが穿設されている。
【００４５】
ハンドル本体４０の他端部４０１の後面における左端側中央には、外向きの爪が先端に形成された一対の突片４０１ａ，４０１ａが上下に離隔して形成されている。これら一対の突片４０１ａ，４０１ａは、カバー１１の一対の挿入孔１１ｍ，１１ｍにそれぞれ挿入され、カバー１１の一対の成形ばね１１ｆ，１１ｆによりハンドル本体４０の右端側が前方に押された状態で、当該突片４０１ａ，４０１ａの先端の爪が上記挿入孔１１ｍ，１１ｍの後面側の縁部にそれぞれ係止するようになっている。また、他端部４０１の後面における一対の突片４０１ａ，４０１ａの左隣り（図６では右隣り）には、磁石４３が固定されている。一方、他端部４０１の前面における右端側中央には、この箇所が押操作するべき部分であることを示す突起４０１ｂが形成されている。
【００４６】
受光カバー４１は、赤外線に対して透光性を有する樹脂製であり、ハンドル本体４０の一端部４００における矩形孔４００ｂを除く前面を閉塞する縦長矩形状に形成され、その一端部４００の前面に固着される。図１の例では、ハンドル本体４０の一端部４００に複数（６つ）の孔が上下方向に離隔して設けられ、それら複数の孔にそれぞれ嵌入する複数の突部が受光カバー４１の後面側に設けられ、それらの各孔に嵌入された突部の先端を熱溶着することにより、受光カバー４１がハンドル本体４０の一端部４００の前面に固着されるようになっている。また、受光カバー４１には、一端部４００の開口窓４００ｄの前方位置に、若干厚みの厚いレンズ部４１０が設けられ、そのレンズ部４１０の後面には、上下方向に伸びる断面半円状の溝が形成されている。さらに、受光カバー４１の右側面における上下両端には、一対の縦長の凸部４１１，４１１が形成されている。
【００４７】
上記構成のハンドル４は、例えば、ハンドル本体４０の一端部４００における左端側中央の挿入孔に前方から押さえばね４４の一対のばね片を挿入して、一端部４００の前面に受光カバー４１を固着し、一端部４００の矩形孔４００ｂに後方からほたる表示片４２の本体部４２０を嵌入して、ほたる表示片４２を一端部４００の後面に固定し、他端部４０１の後面の所定位置に磁石４３を固定することにより、組み立てられる。
【００４８】
図７は同ワイヤレススイッチのリモコンの分解斜視図、図８は同ワイヤレススイッチのリモコンを背面側から見た斜視図、図９は同ワイヤレススイッチのリモコンの回路図であり、これらの図をさらに参照しながらリモコンについて詳述する。
【００４９】
リモコン５は、図１，図７，図８に示すように、リモコンボディ５０およびメンブレンシート５１により構成される平板矩形状のハウジングを備えているとともに、釦電池収納用の電池カバー５２と、配線器具本体１の操作スイッチ１３に対応する操作部５３と、矩形状の鉄板５４と、チャンネル切替スイッチとしてのスライド式のスイッチＳＷ５２２の操作部５５とを備え、図９に示すように、先述の図１１（ｂ）とほぼ同様の送信器５００を直接ないしプリント基板５６に実装してハウジング内に収納している。
【００５０】
ただし、本実施形態では、スイッチＳＷ５２１は、櫛形構造のメンブレンスイッチになっている。つまり、メンブレンシート５１の一部が、この一部の裏面側に塗布された導電性塗料と、この導電性塗料と対向するプリント基板５６の面に形成されカーボン印刷されて互いに離隔状態で歯合する一対の櫛形配線とともに、入／切の操作部５３を構成する。
【００５１】
リモコンボディ５０は、樹脂により、ハンドル本体４０の他端部４０１と同程度の開口を後面に有する箱状に形成され、上側面部５０ｂ、下側面部および右側面部５０ｅの各一部がプレート３の枠内よりも前方に露出するように、ハンドル本体４０の他端部４０１前面に装着されるようになっている。
【００５２】
リモコンボディ５０の前面部５０ａの前面における右端側中央には、当該リモコンボディ５０がハンドル本体４０の他端部４０１に装着されている場合に、その箇所が押操作するべき部分であることを示す突起５０ｆが形成されている。一方、リモコンボディ５０の前面部５０ａの後面には、複数のリブが形成され、これら複数のリブのうち、後面下部の左右両側に設けられ上部が内向きに湾曲する一対のリブ５０ｇ，５０ｇの一方（左方）における下部内側に係止溝５０ｈが形成されている。また、前面部５０ａの後面における右端側中央に鉄板５４が固定される。
【００５３】
リモコンボディ５０の上側面部５０ｂにおける中央には、ＬＥＤ５１１に対する窓孔５０ｉが形成され、その窓孔５０ｉの周縁面が内部ほど径の小さいテーパ面になっている。一方、リモコンボディ５０の下側面部は、切り欠かれて電池カバー５２の挿入口５０ｊを形成している。
【００５４】
リモコンボディ５０の左側面部５０ｄの上下端には、それぞれ受光カバー４１の一対の凸部４１１，４１１と嵌合する一対の凹部５０ｋ，５０ｋが形成されている。また、左側面部５０ｄにおける上端側には、挿入孔５０ｍが形成されている。挿入孔５０ｍには、操作部５５の操作部分５５０が左側面部５０ｄの面から外部にはみ出さないように挿入されるようになっており、左側面部５０ｄにおける操作部５５の操作方向の両側に、それぞれ一対の段落ち凹所５０ｏ，５０ｏが形成されている。なお、
リモコンボディ５０の右側面部５０ｅには、上下方向に伸びる取外し用リブ５０ｐが形成されている。また、右側面部５０ｅの後面側中央には、ハンドル本体４０の突起４０１ｂと嵌合する凹部５０ｑが形成されている。さらに、右側面部５０ｅの内面の下端に、係止溝５０ｒが形成されている。
【００５５】
電池カバー５２は、リモコンボディ５０のほぼ下側面部を形成する角柱状の基部５２０と、この基部５２０の上側面に延設され釦電池の外周縁を囲繞するΩ状のリブ５２１ａを一の面に有する釦電池収納部５２１と、基部５２０の上側面の左端に立設され先端部がリモコンボディ５０の係止溝５０ｈに係止する係止突片５２２と、釦電池収納部５２１のリブ５２１ａにおける右端側から基部５２０の右端面側に延設されリモコンボディ５０の係止溝５０ｒに弾性係止する弾性係止片５２３とを有する形状に形成されている。
【００５６】
上記構成のリモコン５は、例えば、リモコンボディ５０の挿入孔５０ｍに内側から操作部５５の操作部分５５０を挿入し、リモコンボディ５０の後面側の所定位置に鉄板５４を固定し、リモコンボディ５０の後面側に、電池５３１を除く送信器５００をプリント基板１６に実装して収納（固定）し、リモコンボディ５０の開口側をメンブレンシート５１で閉塞し、電池５３１を釦電池収納部５２１に収納した電池カバー５２を挿入口５０ｊからリモコンボディ５０内に装着することにより、組み立てられる。
【００５７】
次に、上記構成のワイヤレススイッチの施工手順例について説明する。先ず、配線器具本体１、取付枠２、プレート３、ハンドル４およびリモコン５を用意する。そして、配線器具本体１のボディ１０における負荷用の一対の電線挿入孔および電源用の一対の電線挿入孔に、それぞれ負荷からの一対の電線の導体線および商用電源からの一対の電線の導体線を挿入するとともに、配線器具本体１のカバー１１の各突起１１ｑを取付枠２の左側部２３および右側部２４の各中央に穿設された各取付孔２ｑに嵌合して、取付枠２に配線器具本体１を取り付ける。この後、従来と同様に２本の取付ねじを用いて、配線器具本体１が取り付けられた取付枠２を、配線器具本体１側を壁に埋設するようにして壁面側にねじ止めする。
【００５８】
この後、配線器具本体１のカバー１１における一対の突起１１ｋ，１１ｋを、ハンドル４のハンドル本体４０における一対の凹所４００ａ，４００ａにそれぞれ填め込むとともに、ハンドル本体４０における一対の突片４０１ａ，４０１ａを、カバー１１における一対の挿入孔１１ｍ，１１ｍに挿入して、配線器具本体１のカバー１１にハンドル４を取り付ける。
【００５９】
この後、プレート３のプレート用継枠３１を、従来と同様に２本のねじを用いて取付枠２にねじ止めし、プレート用継枠３１の前面に化粧プレート３２を固定する。
【００６０】
この後、リモコン５のリモコンボディ５０における一対の凹部５０ｋ，５０ｋに、ハンドル４の受光カバー４１における一対の凸部４１１，４１１を填め込みながら、リモコン５をハンドル４のハンドル本体４０における他端部４０１の前面に装着する。このとき、リモコン５は、ハンドル本体４０の後面側に設けられた磁石４３がリモコン５内の鉄板５４を牽引することにより、他端部４０１の前面に張り付く。
【００６１】
以上、本実施形態によれば、リモコン５が、プレート３の矩形枠内に収まる矩形平板状に形成され、少なくとも右側面部５０ｅの一部がプレート３の枠内よりも前方に露出するように収納され、その前方に露出する右側面部５０ｅの一部に、上下方向に伸びる取外し用リブ５０ｐを有しているので、プレート３の枠内に収納されているリモコン５を取り外す場合、リモコン５の右側面部５０ｅに形成され、プレート５の枠内よりも前方に露出する取外し用リブ５０ｐに指を掛けることにより、枠内に収納されているリモコン５を容易に取り外すことができる。
【００６２】
また、ハンドル４の段差構造の段差面およびこの段差面と対面するリモコン５の左側面部５０ｄの双方の長手方向における各端部には、互いに嵌合する位置決め用の凹部５０ｋおよび凸部４１１が設けられているので、ハンドル４のハンドル本体４０における他端部４０１の前面に、リモコン５をずれなく装着することができるとともに、装着状態のリモコン５の操作時にその操作によってハンドル５の装着状態がずれるのを防止することができる。
【００６３】
また、ハンドル４のハンドル本体４０およびリモコン５のリモコンボディ５０における押操作される箇所に、これらの各箇所が押操作するべき部分であることを示す突起４０１ｂ，５０ｆがそれぞれ設けられ、ハンドル本体４０の突起４０１ｂと嵌合する凹部５０ｑがハンドル本体４０と対向するリモコンボディ５０の面に設けられているので、突起４０１ｂ，５０ｆにより押操作するべき部分を判別することができるほか、装着状態のリモコン５の操作時にその操作によってハンドル５の装着状態がずれるのをより好適に防止することができる。
【００６４】
さらに、リモコン５のリモコンボディ５０における左側面部５０ｄの挿入孔５０ｍの箇所に、その左側面部５０ｄの面から操作部５５の操作部分５５０がはみ出さないように挿入されて設けられ、左側面部５０ｄにおける操作部５５の操作部分５５０のスライド操作方向の両側に、一対の段落ち凹所５０ｏ，５０ｏがそれぞれ設けられているので、一対の段落ち凹所５０ｏ，５０ｏに指先を入れることができることにより、リモコン５の左側面部５０ｄの面からはみ出さないように設けられた操作部５５の操作部分５５０を容易に操作することが可能となる。
【００６５】
なお、本実施形態では、リモコンボディ５０の一対の凹部５０ｋ，５０ｋと受光カバー４１の一対の凸部４１１，４１１とが凹凸嵌合するようになっているが、リモコンボディに一対の凸部を設け、受光カバーに一対の凹部を設けて凹凸嵌合する構成でもよいことは言うまでもない。
【図面の簡単な説明】
【００６６】
【図１】本発明による一実施形態のワイヤレススイッチの分解斜視図である。
【図２】同ワイヤレススイッチの斜視図である。
【図３】同ワイヤレススイッチを配線器具本体側からリモコンを離して見た斜視図である。
【図４】同ワイヤレススイッチの配線器具本体を取付枠に取り付けて見た斜視図である。
【図５】同ワイヤレススイッチの配線器具本体の回路図である。
【図６】同ワイヤレススイッチのハンドルの背面図である。
【図７】同ワイヤレススイッチのリモコンの分解斜視図である。
【図８】同ワイヤレススイッチのリモコンを背面側から見た斜視図である。
【図９】同ワイヤレススイッチのリモコンの回路図である。
【図１０】本出願人により別途提案されているワイヤレススイッチを配線器具本体側からリモコンを離して見た斜視図である。
【図１１】同ワイヤレススイッチの回路図である。
【符号の説明】
【００６７】
１  配線器具本体
１０  ボディ
１１  カバー
１２  受信部
１３  操作スイッチ
１４  表示灯
１５  操作部
１６  プリント基板
２  取付枠
３  プレート
４  ハンドル
４０  ハンドル本体
４０１ｂ  突起
４１  受光カバー
４１１  凸部
４２  ほたる表示片
４３  磁石
４４  押さえばね
５  リモコン
５０  リモコンボディ
５０ｆ  突起
５０ｋ  凹部
５０ｍ  挿入孔
５０ｏ  凹所
５０ｐ  取外し用リブ
５０ｑ  凹部
５１  メンブレンシート
５２  電池カバー
５３  操作部
５４  鉄板
５５  操作部
５６  プリント基板
【図１】
2005038796.tif 000003
【図２】
2005038796.tif 000004
【図３】
2005038796.tif 000005
【図４】
2005038796.tif 000006
【図５】
2005038796.tif 000007
【図６】
2005038796.tif 000008
【図７】
2005038796.tif 000009
【図８】
2005038796.tif 000010
【図９】
2005038796.tif 000011
【図１０】
2005038796.tif 000012
【図１１】
2005038796.tif 000013